(57)【要約】【課題】リアルタイムネットワークデータの分析を支援する方法及び装置の提供【解決手段】流入するデータをリアルタイムで要約し（１０）、前記要約されたデータをグラフとしてリアルタイムに表示し（１２）、前記グラフの一部をデュアルスライダを使用して選択し（１４）、前記リアルタイムで要約され選択されたグラフの部分によって表されているデータを処理する（１６）。なお、データを処理する段階（１６）は、前記リアルタイムで要約され、選択されたグラフの部分によって表されているデータの成分を表示する段階と、前記リアルタイムで要約され、選択されたグラフの部分によって表されているデータをエクスポートする段階を含む。さらに、前記データ成分を表示する段階は、前記リアルタイムで要約されたデータの成分を１つ又は複数の新しいグラフとして表示する段階と、前記リアルタイムで要約されたデータの成分を表の形態で表示する段階のうち少なくとも一方を含む。【選択図】図１
2006050603.tif 000002
【特許請求の範囲】
【請求項１】
流入するデータをリアルタイムで要約する段階と、
前記要約されたデータをグラフとしてリアルタイムに表示する段階と、
前記グラフの一部をデュアルスライダを使用して選択する段階と、
前記リアルタイムで要約され、選択されたグラフの部分によって表されているデータを処理する段階と、
を有する方法。
【請求項２】
前記リアルタイムで要約され、選択されたグラフの部分によって表されているデータを処理する段階は、
前記リアルタイムで要約され、選択されたグラフの部分によって表されているデータの成分を表示する段階と、
前記リアルタイムで要約され、選択されたグラフの部分によって表されているデータをエクスポートする段階、
のうち少なくとも１つを有している請求項１に記載の方法。
【請求項３】
前記リアルタイムで要約され、選択されたグラフの部分によって表されているデータの成分を表示する段階は、
前記リアルタイムで要約されたデータの成分を１つ又は複数の新しいグラフとして表示する段階と、
前記リアルタイムで要約されたデータの成分を表の形態で表示する段階、
のうち少なくとも１つを有している請求項２に記載の方法。
【請求項４】
前記選択されたグラフの部分を強調表示する段階を更に有する請求項１乃至請求項４のいずれかに記載の方法。
【請求項５】
前記選択されたグラフの部分を強調表示する段階は、
前記グラフの前記選択された部分を三次元で表示する段階と、
前記グラフの選択されていない部分を二次元で表示する段階と、
を有している請求項４に記載の方法。
【請求項６】
前記デュアルスライダは、前記グラフの軸に沿って表示されたスライダのペアを有している請求項１乃至請求項５のいずれかに記載の方法。
【請求項７】
前記デュアルスライダは、複数のデュアルスライダを有し、個々のデュアルスライダは、前記グラフの少なくとも２つの軸に沿って表示される請求項１乃至請求項５のいずれかに記載の方法。
【請求項８】
前記流入データは、ネットワークトラフィック情報である請求項１乃至請求項７のいずれかに記載の方法。
【請求項９】
前記流入データは、ＶｏＩＰネットワークトラフィック情報である請求項１乃至請求項８のいずれかに記載の方法。
【請求項１０】
要約された流入ネットワークトラフィックデータをリアルタイムで提供するグラフィカルユーザーインターフェイスを有し、選択可能なグラフィカルディスプレイによって、前記要約されたデータをデュアルスライダを有するグラフとして表示することにより、ユーザーが、前記デュアルスライダを使用して前記グラフの一部を選択し、前記リアルタイムで要約され、選択されたグラフの部分によって表されているデータを処理できるようにするネットワーク分析装置。
【発明の詳細な説明】
【技術分野】
【０００１】
本発明は、グラフィカルユーザーインターフェイスに関し、更に詳しくは、ネットワーク分析装置用のグラフィカルユーザーインターフェイスに関するものである。
【背景技術】
【０００２】
グラフィカルユーザーインターフェイス要素として、スライダが周知である。例えば、従来のワードプロセッサにおいては、スライダを使用して、ページ上のマージンの境界を表している。ユーザーは、このスライダをスライドさせることにより、文書のページマージンや、その事前選択されたセクションを変更することが可能であるが、この移動によって変化するのは、ページマージンのみであり、表示されているテキスト自体を処理したり、或いは、ユーザーがテキストの更に詳細な分析を実行できるように、テキストに関する更なる詳細情報を提供したりはしない。
【発明の開示】
【発明が解決しようとする課題】
【０００３】
従って、本発明の一態様は、リアルタイムネットワークデータの分析を支援する方法及び装置を提供することにある。
【課題を解決するための手段】
【０００４】
本発明の上述またはその他の態様は、（ａ）流入データをリアルタイムで要約する段階と、（ｂ）この要約データをリアルタイムでグラフとして表示する段階と、（ｃ）デュアルスライダを使用してグラフの一部を選択する段階と、（ｄ）このリアルタイムで要約され、選択されたグラフの部分によって表されているデータを処理する段階と、を含む方法を提供することによって実現される。
【０００５】
本発明の上述またはその他の態様は、（ａ）選択可能なグラフィカルユーザーインターフェイス内において、要約された流入データをグラフのグラフィカル要素としてリアルタイムで表示する段階と、（ｂ）このグラフのグラフィカル要素とデュアルスライダグラフィカル要素を統合する段階と、を含む方法を提供することによっても実現される。この結果、ユーザーは、デュアルスライダを使用してグラフのグラフィカル要素の一部を選択し、このリアルタイムで要約され、グラフのグラフィカル要素の選択された部分によって表されているデータを処理することができる。
【０００６】
本発明の上述またはその他の態様は、（ａ）要約された流入ネットワークトラフィックデータをリアルタイムで提供するグラフィカルユーザーインターフェイスを含む装置を提供することによっても実現され、この場合に、選択可能なグラフィカルディスプレイが、要約されたデータをデュアルスライダを有するグラフとして表示する。この結果、ユーザーは、デュアルスライダを使用してグラフの一部を選択し、このリアルタイムで要約され、選択されたグラフの部分によって表されているデータを処理することができる。
【０００７】
本発明の更なる態様または利点については、その一部は、以下の説明に示されており、一部は、この説明から明らかとなり、或いは、本発明の実施を通じて知ることができよう。
【発明を実施するための最良の形態】
【０００８】
本発明のこれらまたはその他の態様及び利点については、添付の図面との関連で、実施例に関する以下の説明を参照することにより、明らかとなり、容易に理解することができよう。
【０００９】
次に、本発明の実施例を詳細に参照するが、これらの例は、添付の図面に示されており、これらの図面においては、類似の参照符号を使用して類似の要素を示している。以下において説明する実施例は、これらの図面を参照することにより、本発明について説明するためのものである。
【００１０】
このアプリケーションに使用されているデュアルスライダは、選択可能なグラフィカルユーザーインターフェイス内において、例えば、複雑なデータを要約するグラフなどの別のグラフィカル要素と統合される（２つの小さな照準器グラフィカル要素から構成された）グラフィカル要素である。このデュアルスライダは、グラフの一部を定義及び選択し、このリアルタイムで要約され、選択されたグラフの部分によって表されている元の非要約データを処理するために使用される。
【００１１】
ネットワーク管理においては、大量の情報を収集する。これらのネットワーク情報を管理し、その個別の部分を分析する能力は、ネットワークの動作能力の維持における重要な部分を構成している。このような管理を必要とするネットワークの一例が、テレフォニーネットワークである。更に具体的には、このような管理を必要とするネットワークの一例は、ＶｏＩＰ（Ｖｏｉｃｅ  ｏｖｅｒ  ＩＰ）ネットワークであり、この場合には、通話は、ＩＰ（Ｉｎｔｅｒｎｅｔ  Ｐｒｏｔｏｃｏｌ）を使用してパケットとして音声データを送信することにより、伝送媒体としてインターネットを使用してルーティングされる。
【００１２】
図１は、本発明の一実施例による方法を示している。この図１を参照すれば、段階１０において、流入するデータをリアルタイムで要約する。段階１２において、この要約データをリアルタイムでグラフとして表示する。段階１４において、デュアルスライダを使用し、このグラフの一部を選択する。そして、段階１６において、このリアルタイムで要約され、選択されたグラフの一部によって表されているデータを処理する。尚、わかりやすくするために、以下においては、リアルタイムで要約されたデータ、即ち、データ収集ポイントに到来した際にリアルタイムで要約され、リアルタイムでグラフとして表示されている元のフルセットのデータを「非要約データ」と呼ぶことにする。
【００１３】
一実施例によれば、この非要約データの処理は、非要約データの成分を表示する段階または非要約データをエクスポートする段階を伴っている。又、一実施例によれば、非要約データの成分を表示する段階は、非要約データの成分を１つ又は複数のグラフにおいて表示する段階または非要約データの成分を表の形態で表示する段階を伴っている。
【００１４】
図２は、本発明の実施例による別の方法を示している。この図２を参照すれば、段階２０において、要約された流入データをリアルタイムでグラフのグラフィカル要素として表示する。そして、段階２２において、グラフのグラフィカル要素とデュアルスライダグラフィカル要素を統合することにより、ユーザーが、デュアルスライダを使用してグラフのグラフィカル要素の一部を選択し、そのグラフのグラフィカル要素の選択された一部によって表されている非要約データを処理できるようにする。
【００１５】
図３から図５は、様々なグラフに適用された本発明の実施例を示している。図３は、閾値インジケータグラフ３０を示しており、様々な性能閾値レベルが、有色のグラデーションによって示されている。例えば、この図３においては、閾値レベルは、グレーの様々なシェードによって示されている。一実施例によれば、これらの閾値レベルは、所与の対象物の所与の時間における状態のレベルを示している。例えば、対象物Ｄ３４の状態３２は、午前１０：０５〜午前１０：１０の間に、ライトグレーからミディアムグレー、そして、ダークグレーに変化している。そして、この図３には、デュアルスライダを形成している第１及び第２スライダ３６及び３８が、午前１０：０９〜午前１０：１５の期間を選択している状態が示されている。
【００１６】
図４には、閾値を示すグラフ４０が示されており、この場合には、第１スライダ及び第２スライダ４３は、期間を選択するデュアルスライダを形成しており、第３スライダ４４及び第４スライダ４５は、対象物Ｄ〜Ｆを選択するデュアルスライダを形成している。
【００１７】
そして、これらの図３及び図４に示されているように、閾値インジケータグラフ３０及び４０の個々の選択された部分は、強調表示されている。一実施例によれば、この選択された部分の強調表示は、グラフ３０及びグラフ４０の選択された部分を三次元で表示する段階と、グラフ３０及びグラフ４０の選択されていない部分を二次元で表示する段階を伴っている。尚、この図３及び図４においては、この選択されたグラフの部分を強調表示する段階が、選択されたグラフの部分を三次元で表示するものとして示されているが、本発明は、選択されたグラフの部分を三次元で表示することに限定されるものではない。例えば、背景の外観の変更や、選択されたグラフの部分内のオブジェクトの色や形状の変更など、多くのその他の技法を採用することにより、選択されたグラフの部分を強調表示することが可能である。
【００１８】
図５には、折れ線グラフ５０が示されており、この場合には、第１スライダ５２及び第２スライダ５４は、期間を選択するデュアルスライダを形成している。尚、これらの図３から図５には、閾値インジケータグラフ３０及び閾値インジケータグラフ４０と折れ線グラフ５０が示されているが、本発明は、閾値インジケータグラフと折れ線グラフに限定されるものではない。例えば、棒グラフ、散布図、及び極座標グラフなどの多くのその他の種類のグラフを使用可能である。又、図３から図５には、一次元又は二次元のデュアルスライダが示されているが、本発明は、一次元又は二次元のデュアルスライダに限定されるものではない。例えば、三次元のデュアルスライダを使用したり、極座標のデュアルスライダを使用可能であり、この場合には、デュアルスライダの１つの組を使用して、ラジアンのインターバル（区間、間隔、範囲）を選択し、別のデュアルスライダの組を使用して、二次元又は三次元で半径のインターバルを選択することができる。
【００１９】
図６は、本発明の実施例によるネットワーク分析装置を示している。この図６を参照すれば、グラフィカルユーザーインターフェイス６０は、要約された流入ネットワークトラフィックデータをリアルタイムで提供している。この図６に示されている実施例によれば、ネットワークは、ＶｏＩＰ（Ｖｏｉｃｅ−ｏｖｅｒ−ＩＰ）ネットワークである。選択可能なグラフィカルディスプレイ６２は、要約されたデータをデュアルスライダ６６を有するグラフ６４として表示する。このデュアルスライダ６６により、ユーザーは、グラフ６４の一部６８を選択し、このリアルタイムで要約され、選択されたグラフの部分６８によって表されているデータ（非要約データ）を処理することができる。
【００２０】
一実施例によれば、この選択可能なグラフィカルディスプレイ６２は、選択されたグラフの部分６８を強調表示する。一実施例によれば、この選択可能なグラフィカルディスプレイ６２は、この選択されたグラフの部分６８を三次元で表示すると共に、選択されていないグラフの部分を二次元で表示することにより、選択されたグラフの部分６８を強調表示する。
【００２１】
一実施例によれば、ユーザーが、例えば、スライダ７０などのデュアルスライダの１つを第１方向に、例えば、図６の右側に向かって移動させて、残りのデュアルスライダ７２に接触させた場合には、ユーザーがスライダ７０の移動を停止させるか、又はスライダ７２がグラフィカル障壁７４に到達するまで、スライダ７０及び７２の両方が、第１方向に（右に向かって）移動する。逆に、ユーザーがスライダ７２を図６の左に向かって移動させて、スライダ７０に接触させた場合には、ユーザーがスライダ７２の移動を停止させるか、又はスライダ７０がグラフィカル障壁７６に到達するまで、スライダ７０及び７２の両方が左に向かって移動することになる。
【００２２】
一実施例によれば、選択されたグラフの部分６８によって表されている非要約データの処理は、選択可能なグラフィカルディスプレイ６２により、この選択されたグラフの部分６８によって表されている非要約データの成分を表示する段階またはこの非要約データをエクスポートする段階を伴っている。そして、一実施例によれば、この選択されたグラフの部分６８によって表されている非要約データの成分を表示する段階は、選択可能なグラフィカルディスプレイ６２により、この非要約データの成分を１つ又は複数の新しいグラフ７８、８０、８２、及び８４において表示する段階または選択可能なグラフィカルディスプレイ６２により、この非要約データの成分を表の形態で表示する段階を伴っている（図７及び図８を参照されたい）。
【００２３】
図６に示されている実施例などの一実施例によれば、要約されたデータは、閾値インジケータグラフ６４として表示され、非要約データの成分は、成分グラフ７８〜８４として表示される。一実施例によれば、閾値インジケータグラフ６４の閾値が、成分グラフ７８〜８４上に表示される。そして、例えば、成分グラフ７８〜８４のそれぞれには、選択された期間のみならず、個々の閾値を示す（それぞれの成分グラフ７８〜８４ごとに、グレーのグラデーションによって表されている）多色の列が存在している。
【００２４】
図７及び図８には、選択されたグラフの部分６８によって表されている非要約データの成分を、選択可能なグラフィカルディスプレイ６２が表の形態で表示する実施例が示されている。まず、図７を参照すれば、非要約データの成分は、表８６として表示されている。一実施例によれば、表８６は、様々なテーブルヘッダによってソート可能である。例えば、図７に示されているように、表８６は、第１表ヘッダ「尺度（Ｍｅａｓｕｒｅ）」によってソートされている。但し、この表８６は、その他の表ヘッダのいずれによってもソート可能である。そして、この結果、非要約ネットワークトラフィックデータに迅速にアクセスし、これを取り纏めるための柔軟性がユーザーに対して提供される。
【００２５】
次に、図８を参照すれば、非要約データの成分が、表８８として表示されている。この表８８の直接上方に表示さているのは、選択可能なフィルタリングオプション９０及び９２である。これらの選択可能なフィルタリングオプション９０及び９２により、ユーザーが、非要約データのサブセットを選択し、表示することをできる。例えば、選択可能なフィルタリングオプション９０は、閾値セレクタであり、選択可能なフィルタオプション９２は、測定基準セレクタである。これらの選択可能なフィルタリングオプション９０及び９２のそれぞれにより、ユーザーは、非要約データをフィルタリングし、データの特定の側面に注目することが可能となり、または、ユーザーがデータによって圧倒されることを防止することができる。例えば、閾値フィルタ９０によってＲ閾値及びＹ閾値を選択することにより、表８８には、そのＲ閾値及びＹ閾値を満足する又は上回る選択された期間における成分データのみが表示されることになる。
【００２６】
一実施例によれば、この表８８はソート可能である。例えば、ユーザーは、表８８の列ヘッダのいずれかを選択することにより、表８８をソートすることができる。図８に示されているように、この表８８は、列ヘッダ「重大性（Ｓｅｖｅｒｉｔｙ）」によってソートされている。
【００２７】
一実施例によれば、選択可能な情報オプション９４を選択可能なグラフィカルディスプレイによって表示することにより、ユーザーが、表８８内の特定のエントリに関する更に詳細な情報にアクセスできるようにすることができる。例えば、図８においては、表８８のそれぞれの行は、「詳細情報（Ｍｏｒｅ）」というラベルが付加された選択可能な情報オプション９４を具備している。表８８内の「説明」の列には、簡単な説明が提供されているが、ユーザーは、この「詳細情報」ボタン９４を選択することにより、更に詳細な情報にアクセスすることができる。
【００２８】
本発明は、例えば、データネットワークやテレフォニーネットワーク（例えば、有線、無線、または、ＶｏＩＰネットワーク）などのネットワークを分析するための装置に関するものである。しかしながら、本発明は、特定のタイプのネットワークに限定されるものではなく、この装置より、様々な異なるタイプのネットワークを分析することができる。
【００２９】
又、本発明は、例えば、閾値セレクタや測定基準セレクタなどの選択可能なフィルタリングオプションに関係するものである。しかしながら、本発明は、特定のセレクタに限定されるものではなく、多くのセレクタを使用することができる。
【００３０】
以上、本発明のいくつかの実施例について図示並びに説明したが、当業者であれば、本発明の原理と精神を逸脱することなしに、この実施例に様々な変更を加えることが可能であることを理解するであろう。従って、本発明の範囲は、添付の請求項及びその等価物に定義されているとおりである。念のために、本発明の実施の形態の骨子を列挙する。
【００３１】
（実施態様１）
流入するデータをリアルタイムで要約する段階（１０）と、
前記要約されたデータをグラフとしてリアルタイムに表示する段階（１２）と、
前記グラフの一部をデュアルスライダを使用して選択する段階（１４）と、
前記リアルタイムで要約され、選択されたグラフの部分によって表されているデータを処理する段階（１６）と、
を有する方法。
【００３２】
（実施態様２）
前記リアルタイムで要約され、選択されたグラフの部分によって表されているデータを処理する段階（１６）は、
前記リアルタイムで要約され、選択されたグラフの部分によって表されているデータの成分を表示する段階と、
前記リアルタイムで要約され、選択されたグラフの部分によって表されているデータをエクスポートする段階、
のうち少なくとも１つを有している実施態様１に記載の方法。
【００３３】
（実施態様３）
前記リアルタイムで要約され、選択されたグラフの部分によって表されているデータの成分を表示する段階は、
前記リアルタイムで要約されたデータの成分を１つ又は複数の新しいグラフとして表示する段階と、
前記リアルタイムで要約されたデータの成分を表の形態で表示する段階、
のうち少なくとも１つを有している実施態様２に記載の方法。
【００３４】
（実施態様４）
前記選択されたグラフの部分を強調表示する段階を更に有する実施態様１乃至実施態様４のいずれかに記載の方法。
【００３５】
（実施態様５）
前記選択されたグラフの部分を強調表示する段階は、
前記グラフの前記選択された部分を三次元で表示する段階と、
前記グラフの選択されていない部分を二次元で表示する段階と、
を有している実施態様４に記載の方法。
【００３６】
（実施態様６）
前記デュアルスライダは、前記グラフの軸に沿って表示されたスライダのペアを有している実施態様１乃至実施態様５のいずれかに記載の方法。
【００３７】
（実施態様７）
前記デュアルスライダは、複数のデュアルスライダを有し、個々のデュアルスライダは、前記グラフの少なくとも２つの軸に沿って表示される実施態様１乃至実施態様５のいずれかに記載の方法。
【００３８】
（実施態様８）
前記流入データは、ネットワークトラフィック情報である実施態様１乃至実施態様７のいずれかに記載の方法。
【００３９】
（実施態様９）
前記流入データは、ＶｏＩＰ（Ｖｏｉｃｅ  ｏｖｅｒ  ＩＰ）ネットワークトラフィック情報である実施態様１乃至実施態様８のいずれかに記載の方法。
【００４０】
（実施態様１０）
要約された流入ネットワークトラフィックデータをリアルタイムで提供するグラフィカルユーザーインターフェイス（６０）を有し、選択可能なグラフィカルディスプレイ（６２）によって、前記要約されたデータをデュアルスライダ（６６）を有するグラフ（６４）として表示することにより、ユーザーが、前記デュアルスライダ（６６）を使用して前記グラフ（６４）の一部（６８）を選択し、前記リアルタイムで要約され、選択されたグラフの部分（６８）によって表されているデータを処理できるようにするネットワーク分析装置。
【図面の簡単な説明】
【００４１】
【図１】本発明の実施例による方法を示している。
【図２】本発明の実施例による別の方法を示している。
【図３】様々なグラフに適用された本発明の実施例を示している。
【図４】様々なグラフに適用された本発明の実施例を示している。
【図５】様々なグラフに適用された本発明の実施例を示している。
【図６】本発明の実施例によるネットワーク分析装置を示している。
【図７】本発明の実施例によるネットワーク分析装置を示している。
【図８】本発明の実施例によるネットワーク分析装置を示している。
【符号の説明】
【００４２】
６０  グラフィカルユーザーインターフェイス
６４  グラフ
６６  デュアルスライダ
６８  グラフの部分
【図１】
2006050603.tif 000003
【図２】
2006050603.tif 000004
【図３】
2006050603.tif 000005
【図４】
2006050603.tif 000006
【図５】
2006050603.tif 000007
【図６】
2006050603.tif 000008
【図７】
2006050603.tif 000009
【図８】
2006050603.tif 000010